(57)【要約】【課題】メモ台が下降の途中で止まってしまったり、逆に真下の位置を高速で通り越してストッパ等に激しく当たったりするのを防止することにある。【解決手段】椅子１の肘５の下方にメモ台６を収納する椅子用メモ台収納機構７において、メモ台６を当該メモ台支持腕の長手方向軸線周りに収納姿勢とその収納姿勢に直角な使用姿勢との間で回動可能に支持するメモ台支持腕８と、メモ台支持腕８を椅子１の左右方向へ延在する軸線周りに略水平な使用位置と略鉛直な収納位置との間で回動可能に支持するメモ台支持軸９と、粘性ダンパ１１とを具えるとともに、メモ台支持軸９に一端部を固定された駆動リンク１３と、粘性ダンパ１１に結合されて一端部周りの回動を制動された従動リンク１４と、駆動リンク１３と従動リンク１４との他端部同士を連結する連結リンク１５とを有して、駆動リンク１３を減速して従動リンク１４を回動させる非平行および／または不等長の四節リンク機構１２を具えてなる椅子用メモ台収納機構７である。【選択図】図１
2006230593.tif 000002
【特許請求の範囲】
【請求項１】
椅子の肘の下方にメモ台を収納する椅子用メモ台収納機構において、
前記メモ台を当該メモ台支持腕の長手方向軸線周りに、前記椅子の前後方向に延在する鉛直平面に略平行な収納姿勢とその収納姿勢に直角な使用姿勢との間で回動可能に支持するメモ台支持腕と、
前記メモ台支持腕を前記椅子の左右方向へ延在する軸線周りに、略水平な使用位置と略鉛直な収納位置との間で回動可能に支持するメモ台支持軸と、
粘性ダンパと、
前記メモ台支持軸に一端部を固定された駆動リンクと、前記粘性ダンパに結合されて一端部周りの回動を制動された従動リンクと、前記駆動リンクと前記従動リンクとの他端部同士を連結する連結リンクとを有し、前記使用位置から前記収納位置までの前記メモ台支持腕の回動に伴い前記駆動リンクが開始位置から終了位置まで回動する間、前記駆動リンクの回動角度に対する前記従動リンクの回動角度の比が前記駆動リンクの回動の開始位置と終了位置との中央よりも終了位置付近で減少するように、前記駆動リンクと前記従動リンクと前記連結リンクとのリンク長さおよび前記駆動リンクと前記従動リンクとの回動軸間距離を設定されている四節リンク機構と、
を具えてなる、椅子用メモ台収納機構。
【請求項２】
前記粘性ダンパはロータリダンパである、請求項１記載の椅子用メモ台収納機構。
【請求項３】
前記ロータリダンパは、前記メモ台支持腕が前記椅子の左右方向へ延在する軸線周りに略水平な使用位置から略鉛直な収納位置へ向かう際の回動方向についてのみ前記従動リンクを制動するワンウェイクラッチを持つものである、請求項２記載の椅子用メモ台収納機構。
【発明の詳細な説明】
【技術分野】
【０００１】
この発明は、椅子の肘の下方にメモ台を収納する椅子用メモ台収納機構に関するものである。
【背景技術】
【０００２】
椅子の肘の下方にメモ台を収納する従来の椅子用メモ台収納機構は通常、メモ台支持腕と、メモ台支持軸と、粘性ダンパとしてのロータリダンパを具え、メモ台支持腕は、メモ台を当該メモ台支持腕の長手方向軸線周りに、椅子の左右方向に直交する鉛直面に略平行な収納姿勢とその収納姿勢に直角な使用姿勢との間で回動可能に支持し、メモ台支持軸は、メモ台支持腕を椅子の左右方向へ延在する軸線周りに、略水平な使用位置と略鉛直な収納位置との間で回動可能に支持し、そしてロータリダンパは、メモ台支持軸に結合されてその回動を直接制動する。
【発明の開示】
【発明が解決しようとする課題】
【０００３】
しかしながら、かかる構成の従来の椅子用メモ台収納機構では、メモ台の収納時に、メモ台およびメモ台支持腕に加わる重力の作用でメモ台支持腕の下降回動が加速し、ロータリダンパがない場合はメモ台支持腕は略鉛直な収納位置で最も高速になる。また、ロータリダンパはメモ台支持軸に一体的に結合されていてメモ台支持腕の回動角度と同一の角度だけ回動し、そのロータリダンパの制動力は一般に速度が速いほど大きくなる。
【０００４】
このため、略鉛直な収納位置に到達しても未だ高速で回動してしまうのを防止しようとして高速時に大きい制動力を発揮するロータリダンパを使用すると、メモ台の下降が途中で遅くなり過ぎてメモ台が真下まで降りきらずに止まってしまう場合があり、一方、高速時の制動力が小さいロータリダンパを使用すると、メモ台が真下の位置を高速で通り越してストッパ等に激しく当たり、大きな騒音を発生させる場合があって、ロータリダンパの制動力を適切に設定するのが難しいという問題があった。
【課題を解決するための手段】
【０００５】
この発明は、上記課題を有利に解決することを目的とするものであり、この発明の椅子用メモ台収納機構は、椅子の肘の下方にメモ台を収納する椅子用メモ台収納機構において、前記メモ台を当該メモ台支持腕の長手方向軸線周りに、前記椅子の前後方向に延在する鉛直平面に略平行な収納姿勢とその収納姿勢に直角な使用姿勢との間で回動可能に支持するメモ台支持腕と、前記メモ台支持腕を前記椅子の左右方向へ延在する軸線周りに、略水平な使用位置と略鉛直な収納位置との間で回動可能に支持するメモ台支持軸と、粘性ダンパと、前記メモ台支持軸に一端部を固定された駆動リンクと、前記粘性ダンパに結合されて一端部周りの回動を制動された従動リンクと、前記駆動リンクと前記従動リンクとの他端部同士を連結する連結リンクとを有し、前記使用位置から前記収納位置までの前記メモ台支持腕の回動に伴い前記駆動リンクが開始位置から終了位置まで回動する間、前記駆動リンクの回動角度に対する前記従動リンクの回動角度の比が前記駆動リンクの回動の開始位置と終了位置との中央よりも終了位置付近で減少するように、前記駆動リンクと前記従動リンクと前記連結リンクとのリンク長さおよび前記駆動リンクと前記従動リンクとの回動軸間距離を設定されている四節リンク機構と、を具えてなるものである。
【発明の効果】
【０００６】
かかる椅子用メモ台収納機構にあっては、メモ台の収納時にメモ台を使用姿勢から収納姿勢に回動させて手放すと、メモ台およびメモ台支持腕に加わる重力の作用でメモ台支持腕が使用位置から加速しつつ下降回動し、粘性ダンパがない場合はメモ台支持腕は略鉛直な収納位置で最も高速になる。一方ここでは、従動リンクに粘性ダンパが結合されており、粘性ダンパの制動力は一般に速度が速いほど大きくなる。
【０００７】
しかしてこの発明の椅子用メモ台収納機構では、四節リンク機構が、前記メモ台支持軸に一端部を固定された駆動リンクと、前記粘性ダンパに結合されて一端部周りの回動を制動された従動リンクと、前記駆動リンクと前記従動リンクとの他端部同士を連結する連結リンクとを有していて、前記駆動リンクと前記従動リンクと前記連結リンクとのリンク長さおよび前記駆動リンクと前記従動リンクとの回動軸間距離の設定により、前記使用位置から前記収納位置までの前記メモ台支持腕の回動に伴い前記駆動リンクが開始位置から終了位置まで回動する間、前記駆動リンクの回動角度に対する前記従動リンクの回動角度の比を、前記駆動リンクの回動の開始位置と終了位置との間の中央よりも終了位置付近で減少させる。
【０００８】
それゆえ従動リンクは、駆動リンクがその回動の開始位置と終了位置との間の中央付近にある間は、メモ台およびメモ台支持腕に加わる重力の作用でメモ台支持腕とともに高速で回動する駆動リンクと一緒に高速で回動するものの、駆動リンクがその回動の開始位置と終了位置との間の終了位置付近に至ると、例え駆動リンクが高速で回動しても回動角度の比の減少により低速で回動するようになる。
【０００９】
従ってこの発明の椅子用メモ台収納機構によれば、高速時に大きい制動力を発揮する粘性ダンパを使用して、メモ台の下降が途中で遅くなっても、メモ台が真下付近まで降りてくると従動リンクは駆動リンクより遅く回動するようになって粘性ダンパの制動力も小さくなるので、メモ台が途中で止まってしまわずに自重で真下の位置まで下降することができる。そして、上記のように高速時の制動力が大きい粘性ダンパを使用できることから、メモ台が真下の位置を高速で通り越すこともないので、メモ台がストッパ等に激しく当たって大きな騒音が発生するような事態も防止することができる。
【００１０】
また、メモ台が真下付近まで降りてくると、従動リンクは駆動リンクに対し減速されて回動することで駆動リンクの回動力を増力されて伝達されることから、駆動リンクの回動力が小さくなっても従動リンクはその増力された回動力で粘性ダンパの制動力に抗して回動し得るので、この点からも、メモ台が途中で止まってしまわずに自重で真下の位置まで下降することができる。
【００１１】
なお、この発明の椅子用メモ台収納機構においては、前記粘性ダンパは、ロータリダンパとすると、構成が簡易になるので好ましい。
【００１２】
また、この発明の椅子用メモ台収納機構においては、前記ロータリダンパは、前記メモ台支持腕が前記椅子の左右方向へ延在する軸線周りに略水平な使用位置から略鉛直な収納位置へ向かう際の回動方向についてのみ前記従動リンクを制動するワンウェイクラッチを持つものとすると、メモ台の引き出し時にはロータリダンパがメモ台支持腕に制動力を加えないので、メモ台を軽い力で容易に引き出すことができるため、好ましい。
【発明を実施するための最良の形態】
【００１３】
以下に、この発明の実施の形態を実施例によって、図面に基づき詳細に説明する。ここに、図１（ａ）および（ｂ）は、この発明の椅子用メモ台収納機構の一実施例を具える椅子の例としての座起立式連結椅子を、メモ台支持腕を使用位置にするとともにメモ台を使用姿勢および収納姿勢にした状態でそれぞれ示す側面図、図２（ａ）および（ｂ）は、上記実施例の椅子用メモ台収納機構を具える上記座起立式連結椅子を示す平面図および正面図、図３（ａ），（ｂ）および（ｃ）は、上記実施例の椅子用メモ台収納機構の、図１（ｂ）に示す状態の後の一連の作動状態を示す説明図、そして図４（ａ）および（ｂ）は、上記実施例の椅子用メモ台収納機構の四節リンク機構の一構成例およびリンク回動角度をそれぞれ示す説明図であり、図中符号１は、上記座起立式連結椅子を示す。
【００１４】
ここにおける座起立式連結椅子１は、図１および図２に示すように、椅子１の左右の位置にて椅子１の前後方向および鉛直方向に延在する平板状の二枚の脚２と、それらの脚２の間に配置されて左右側部を脚２に固定された背３と、それらの脚２の間に配置されて左右側部を脚２に椅子１の左右方向へ延在する支持軸４ａを介して図１（ａ）に示す使用位置と同図（ｂ）に示す跳ね上げ位置との間で揺動可能に支持された座４と、二枚の脚２の上端部にそれぞれ設けられたパッド状の肘５とを具えるとともに、図示例では前端角部が三角形状に切り欠かれた略矩形の板状のメモ台６と、そのメモ台６を脚２の肘５の下方の中空のメモ台収納部２ａに収納するための上記実施例のメモ台収納機構７とを具えており、ここで脚２はその前端部に、メモ台収納部２ａに対するメモ台６の出入りを可能にする開口部を有している。
【００１５】
そしてこの実施例のメモ台収納機構７は、図１および図３に示すように、メモ台６を支持するパイプ状のメモ台支持腕８を有し、このメモ台支持腕８はその長手方向軸線周りに、椅子１の前後方向に延在する鉛直平面に略平行に延在する図１（ｂ）に示す収納姿勢と、その収納姿勢に直角な図１（ａ）に示す使用姿勢との間で回動可能にメモ台６を支持する。
【００１６】
この実施例のメモ台収納機構７はまた、メモ台支持腕８を支持するメモ台支持軸９を有し、このメモ台支持軸９は、椅子１の左右方向へ延在する軸線周りに、略水平に延在する、図１（ａ）に示す使用位置と、略鉛直に延在する、図１（ｂ）に示す収納位置との間で回動可能にメモ台支持腕８を支持する。なお、この実施例ではメモ台６はメモ台支持腕８に固定され、メモ台支持腕８はその中心軸線周りに回動可能にメモ台支持軸９に支持されるとともに、基部付近に掛止部８ａを設けられており、これにより、メモ台支持腕８を上記使用位置に位置させてメモ台６を上記使用姿勢に回動させるとその掛止部８ａがメモ台収納部２ａ内の掛合部２ｂと掛合してメモ台６をその使用姿勢に掛止する。
【００１７】
この実施例のメモ台収納機構７はさらに、メモ台収納部２ａ内に配置されて脚２に固定されたリンク・ダンパユニット１０を有し、このリンク・ダンパユニット１０は、粘性ダンパとしてのロータリダンパの一種であるディスクダンパ１１と、四節リンク機構１２とを共通の支持部材上に持つとともに、上記メモ台支持軸９を椅子１の左右方向へ延在する軸線周りに回動可能に支持しており、ここにおける四節リンク機構１２は、そのメモ台支持軸９に一端部（図３（ａ）では上端部）を固定された駆動リンク１３と、ディスクダンパ１１の作動軸１１ａに一端部（図３（ａ）では上端部）を結合されてその一端部周りの回動を制動される従動リンク１４と、駆動リンク１３と従動リンク１４との他端部（図３（ａ）では下端部）同士を連結する連結リンク１５とを有している。
【００１８】
ここで、駆動リンク１３と従動リンク１４と連結リンク１５との各々の長さおよび位置関係は、四節リンク機構１２を非平行および／または不等長の四節リンク機構とするよう、例えば図４に示すように、駆動リンク１３の両端部の回動軸間距離を４９．５ｍｍ、従動リンク１４の両端部の回動軸間距離を５７．０ｍｍ、連結リンク１５の両端部の回動軸間距離を８７．５ｍｍにするとともに、駆動リンク１３が固定されたメモ台支持軸９と従動リンク１４が固定されたディスクダンパ１１の作動軸１１ａとの軸間距離を８９．０ｍｍに設定する。
【００１９】
上記の如く、互いに向き合うリンク同士が非平行および／または不等長になるように軸間距離を設定した四節リンク機構１２にあっては、上記使用位置から収納位置までのメモ台支持腕８の回動に伴い駆動リンク１３が図１（ａ）に示す回動開始位置から図３（ｃ）に示す回動終了位置まで回動する間、駆動リンク１３の回動角度に対する従動リンク１４の回動角度の比が、図４（ｂ）に示すように、１２．８／１５、１３．０／１５、１３．０／１５、１２．８／１５、１２．１／１５、１０．８／１５、８．０／１６、０．９／４というように変化し、駆動リンク１３の回動の開始位置と終了位置との中央での値（１２．８／１５）よりも終了位置付近の値（８．０／１６）で減少する。
【００２０】
さらに、この実施例のメモ台収納機構７は、メモ台収納部２ａ内に配置されて脚２に固定されたアングル材状のストッパ１６も有しており、このストッパ１６は、メモ台支持腕８を吸着するマグネットシートを持っている。
【００２１】
かかる実施例の椅子用メモ台収納機構７にあっては、メモ台６の収納時にメモ台６を図１（ａ）に示す使用姿勢から図１（ｂ）に示す収納姿勢に回動させて手放すと、メモ台６およびメモ台支持腕８に加わる重力の作用でメモ台支持腕８が上記使用位置から加速しつつ図３（ａ）〜（ｃ）に示すように下降回動し、ディスクダンパ１１がない場合はメモ台支持腕８は略鉛直な上記収納位置で最も高速になる。一方ここでは、従動リンク１４にディスクダンパ１１の作動軸１１ａが結合されており、粘性ダンパの一種であるディスクダンパ１１の制動力は一般に速度が速いほど大きくなる。
【００２２】
しかしてこの実施例の椅子用メモ台収納機構７では、四節リンク機構１２が、メモ台支持軸９に一端部を固定された駆動リンク１３と、ディスクダンパ１１の作動軸１１ａに結合されて一端部周りの回動を制動された従動リンク１４と、駆動リンク１３と従動リンク１４との他端部同士を連結する連結リンク１５とを有していて、駆動リンク１３と従動リンク１４と連結リンク１５とのそれぞれのリンク長さ（両端部の回動軸間の距離）および駆動リンク１３と従動リンク１４との回動軸間距離の設定により、使用位置から収納位置までのメモ台支持腕８の回動に伴い駆動リンク１３が開始位置から終了位置まで回動する間、駆動リンク１３の回動角度に対する従動リンク１４の回動角度の比を、駆動リンク１３の回動の開始位置と終了位置との間の中央におけるよりも終了位置付近で減少させる。
【００２３】
それゆえ従動リンク１４は、駆動リンク１３がその回動の開始位置と終了位置との間の中央付近にある間は、メモ台６およびメモ台支持腕８に加わる重力の作用でメモ台支持腕８とともに高速で回動する駆動リンク１３と一緒に高速で回動するものの、駆動リンク１３がその回動の開始位置と終了位置との間の終了位置付近に至ると、例え駆動リンク１３が高速で回動しても回動角度の比の減少により低速で回動するようになる。
【００２４】
従ってこの実施例の椅子用メモ台収納機構７によれば、ディスクダンパ１１に高速時に大きい制動力を発揮する特性のものを使用して、メモ台６の下降が途中で遅くなっても、メモ台６が真下付近まで降りてくると従動リンク１４は駆動リンク１３より遅く回動するようになってディスクダンパ１１の制動力も小さくなるので、メモ台６が途中で止まってしまわずに自重で、図３（ｃ）に示す真下の位置まで下降して、メモ台収納部２ａ内に確実に入り込むことができる。そして、上記のように高速時の制動力が大きいディスクダンパ１１を使用できることから、メモ台６が真下の位置を高速で通り越すこともないので、メモ台６がストッパ１６に激しく当たって大きな騒音が発生するような事態も防止することができる。
【００２５】
また、メモ台６が真下付近まで降りてくると、従動リンク１４は駆動リンク１３に対し減速されて回動することで駆動リンク１３の回動力を増力されて伝達されることから、駆動リンク１３の回動力が小さくなっても従動リンク１４はその増力された回動力でディスクダンパ１１の制動力に抗して回動し得るので、この点からも、メモ台６が途中で止まってしまわずに自重で真下の位置まで下降することができる。
【００２６】
しかもこの実施例の椅子用メモ台収納機構７によれば、粘性ダンパとして、ロータリダンパの一種であるディスクダンパ１１を使用しているので、その作動軸１１ａに従動リンク１４を直接固定し得て、構成を簡易なものにすることができる。
【００２７】
さらにこの実施例の椅子用メモ台収納機構７によれば、ディスクダンパ１１として、メモ台支持腕８が椅子１の左右方向へ延在する軸線周りに略水平な使用位置から略鉛直な収納位置へ向かう際の回動方向についてのみ従動リンク１４を制動するワンウェイクラッチを持つものを使用していることから、メモ台収納部２ａ内からのメモ台６の引き出し時にはディスクダンパ１１がメモ台支持腕８に制動力を加えないので、メモ台６を軽い力で容易に引き出すことができる。
【００２８】
さらにこの実施例の椅子用メモ台収納機構７によれば、リンク・ダンパユニット１０が、ディスクダンパ１１と四節リンク機構１２とを共通の支持部材上に持つとともにメモ台支持軸９を回動可能にその支持部材上に支持しているので、このリンク・ダンパユニット１０を脚２のメモ台収納部２ａ内に配置固定するだけで、椅子１を容易に、メモ台６を収容可能なものにすることができ、しかもリンク・ダンパユニット１０において、メモ台支持軸９とディスクダンパ１１の作動軸１１ａとを同一軸線上に並べずに別の軸としてそれらを四節リンク機構１２で連結する構成により、各脚２の厚さ（椅子左右方向寸法）を薄くし得て、限られた椅子設置スペース仕様で椅子１の背３および座４の幅をより広くすることができる。
【００２９】
図５は、この発明の椅子用メモ台収納機構の他の一実施例を図１と同様の状態で示す側面図であり、この実施例の椅子用メモ台収納機構７は、ディスクダンパ１１と四節リンク機構１２とを別個の支持部材上に設けて脚２のメモ台収納部２ａ内に配置固定するとともに、駆動リンク１３と従動リンク１４との向きを互いに逆向きとした点のみ、先の実施例と異なっており、他の点は先の実施例と同様に構成されている。
【００３０】
かかる実施例の椅子用メモ台収納機構７によっても、先の実施例と同様に、メモ台６が途中で止まってしまわずに自重で真下の位置まで下降して、肘２の下方のメモ台収納部内に確実に入り込むことができる。そして、メモ台６が真下の位置を高速で通り越すこともないので、メモ台６がストッパに激しく当たって大きな騒音が発生するような事態も防止することができる。
【００３１】
以上、図示例に基づき説明したが、この発明は上述の例に限定されるものでなく特許請求の範囲の記載の範囲内で適宜変更することができ、例えば、四節リンク機構の設定は、所要に応じて変更することができる。またこの発明の椅子用メモ台収納機構は、座起立式連結椅子に限られず、単独型の椅子や座固定型の椅子にも適用することができる。さらに、粘性ダンパは、ディスクダンパ等のロータリダンパに限られず、ピストン式のダンパでも良い。また、ストッパは省略しても良い。
【産業上の利用可能性】
【００３２】
かくしてこの発明の椅子用メモ台収納機構によれば、メモ台が途中で止まってしまわずに自重で真下の位置まで確実に下降することができ、そして、メモ台が真下の位置を高速で通り越すこともないので、メモ台がストッパ等に激しく当たって大きな騒音が発生するような事態も防止することができる。
【図面の簡単な説明】
【００３３】
【図１】（ａ）および（ｂ）は、この発明の椅子用メモ台収納機構の一実施例を具える椅子の例としての座起立式連結椅子を、メモ台支持腕を使用位置にするとともにメモ台を使用姿勢および収納姿勢にした状態でそれぞれ示す側面図である。
【図２】（ａ）および（ｂ）は、上記実施例の椅子用メモ台収納機構を具える上記座起立式連結椅子を示す平面図および正面図である。
【図３】（ａ），（ｂ）および（ｃ）は、上記実施例の椅子用メモ台収納機構の、図１（ｂ）に示す状態の後の一連の作動状態を示す説明図である。
【図４】（ａ）および（ｂ）は、上記実施例の椅子用メモ台収納機構の四節リンク機構の一構成例およびリンク回動角度をそれぞれ示す説明図である。
【図５】この発明の椅子用メモ台収納機構の他の一実施例を図１と同様の状態で示す側面図である。
【符号の説明】
【００３４】
１  座起立式連結椅子
２  脚
２ａ  メモ台収納部
２ｂ  掛合部
３  背
４  座
４ａ  支持軸
５  肘
６  メモ台
７  メモ台収納機構
８  メモ台支持腕
８ａ  掛止部
９  メモ台支持軸
１０  リンク・ダンパユニット
１１  ディスクダンパ
１１ａ  作動軸
１２  四節リンク機構
１３  駆動リンク
１４  従動リンク
１５  連結リンク
１６  ストッパ
【図１】
2006230593.tif 000003
【図２】
2006230593.tif 000004
【図３】
2006230593.tif 000005
【図４】
2006230593.tif 000006
【図５】
2006230593.tif 000007